(57)【要約】【課題】自家用車等の中古車の売買価格を査定・評価する際に使用する記入用紙のレイアウト構造に関するものである。【解決手段】本発明にかかる中古車査定・評価シートは査定シートと評価シートとが分離可能に積層されている。査定シートにおいて、基本情報、修復歴や交換跡等の履歴情報、履歴情報に該当する部位、装着品の情報、仕入れ価格、加修費、展示価格等の重要な情報の記入欄の裏綿には、感圧複写用の発色剤が入ったマイクロカプセル層が形成されている。評価シートの前記各欄に対応する表面には顕色剤層が形成されている。【選択図】　　　　　　図１
2004066515.tif 000002
【特許請求の範囲】
【請求項１】
査定対象の中古車に関して、
車名、仕様、走行距離に関する基本情報を記入する基本情報記入欄、
修復歴や交換跡等の履歴情報を記入する履歴情報記入欄、
前記履歴情報に該当する部位を図示する図示記入欄、
装着品の情報を記入する装着品情報記入欄、
仕入れ価格を記入する仕入れ価格記入欄、
加修費を記入する加修費記入欄、及び
前記仕入れ価格に加修費と補正価格を加味して算定した展示価格を記入する展示価格記入欄、
の少なくとも何れかひとつの欄が配設されているとともに、
上記欄の表面側には項目名等が予め印刷され、
上記欄の裏面側には感圧複写用の発色剤が入ったマイクロカプセル層が形成された買い取り用の査定シートと、
前記査定シートの前記欄に対応する位置の表面には、前記マイクロカプセル層の発色剤に対応した顕色剤層が形成されるとともに、査定シートに記入された内容が感圧複写される複写欄が形成されているとともに、前記複写欄には対応する項目名等が予め印刷されている販売用の評価シートと、
を分離可能に積層してなることを特徴とする中古車査定シート。
【発明の詳細な説明】
【０００１】
【発明の属する技術分野】
本発明は、自家用車等の中古車の売買価格を査定・評価する際に使用する記入用紙のレイアウト構造に関するものである。
【０００２】
【従来の技術】
現在、道路を走っている車の全てが中古車であるといえる。新車であるといえるのは、工場から出荷された車が販売店等に展示されている状態である。従って、一旦販売されて道路を走っている車はもはや新車ではなく中古車であるといえる。
年間では４００万台もの新車が販売され登録されるものであり、車は高価な商品であるにも関わらず、それらの中古車の売買に関する詳細な評価説明資料は無かったのである。
【０００３】
【発明が解決しようとする課題】
確かに、中古車を買い取る時点で作成される査定シートというものはあったが、そのような査定シートは、決して客に見せるものではなかった。
その大きな理由は、加修費（手直し等の修理費）を決定した後に、買い取りの価格を客観的に説明できないからである。買い取りの価格は、各販売店等が独自に決定することが多く、客観的な根拠のないものであるため、客に示すことはなかった。
従って、中古車を売る客も、買う客も、販売店から提示された買い取り価格や販売価格が妥当なものであるか否か不安になることが多かった。
【０００４】
そこで、本発明は、中古車を売る客も買う客も安心して販売店に任せることができる公正で納得性のある価格が、どのようにして決定されるかを示す経過情報を知ることができる評価・査定シートの提供を目的としてなされたものである。
【０００５】
【課題を解決するための手段】
本発明にかかる中古車査定・評価シートにおいては、査定対象の中古車に関して、車名、仕様、走行距離に関する基本情報を記入する基本情報記入欄、修復歴や交換跡等の履歴情報を記入する履歴情報記入欄、前記履歴情報に該当する部位を図示する図示記入欄、装着品の情報を記入する装着品情報記入欄、仕入れ価格を記入する仕入れ価格記入欄、加修費を記入する加修費記入欄、及び前記仕入れ価格に加修費と補正価格を加味して展示価格を記入する展示価格記入欄、の少なくとも何れかひとつの欄が配設されているとともに、上記欄の表面側には項目名等が予め印刷され、上記欄の裏面側には感圧複写用の発色剤が入ったマイクロカプセル層が形成された買い取り用の査定シートと、前記査定シートの前記欄に対応する位置の表面には、前記マイクロカプセル層の発色剤に対応した顕色剤層が形成されるとともに、査定シートに記入された内容が感圧複写される複写欄が形成されているとともに、前記複写欄には対応する項目名等が予め印刷されている販売用の評価シートと、を分離可能に積層するという手段を講じた。
【０００６】
本発明の中古車査定・評価シートによれば、査定対象の中古車の査定シートに記入される重要な記入欄である基本情報記入欄、履歴情報記入欄、図示記入欄、装着品情報記入欄、仕入れ価格記入欄、加修費記入欄、及び展示価格記入欄の少なくとも何れかの欄の情報が、買い取り用の査定シートだけでなく、販売用の評価シートにも複写されるように構成したので、売る客も買う客も前記重要な情報を公正に知ることができる。
【０００７】
【発明の実施の形態】
以下に、本発明にかかる中古車査定・評価シートを、その実施の形態を示した図面に基づいて詳細に説明する。
【０００８】
図１は本発明にかかる中古車査定・評価シートのひとつの構成例を示した図である。
本発明にかかる中古車査定・評価シートＳは、査定シートＡと、評価シートＢの二枚のシートが分離可能に積層されて形成されている。
【０００９】
図２に例示した査定シートＡは、複数の記入領域に分けられている。
査定シートＡの上部には、査定対象の中古車に関する車名、主要仕様、走行距離に関する基本情報を記入する基本情報記入欄１が形成され、前記基本情報記入欄１の左下には、修復歴や交換跡等の履歴情報を記入する履歴情報記入欄２が形成され、前記基本情報記入欄１の中央下及び右下には、各種のチェック欄３が形成されている。このチェック欄３においては、調べる個所の順と項目が明記されている。これにより、販売店が、査定時における修復歴、交換歴を見落としてしまうことを防止できる効果を発揮する。
【００１０】
そして、中央部分には前記履歴情報に該当する部位を図示する図示記入欄４と、内装評価情報記入欄４１とが形成され、前記図示記入欄４の右側には、装着品の情報を記入する装着品情報記入欄５が形成されている。
さらに、前記装着品情報記入欄５の更に右側には、仕入れ価格を記入する仕入れ価格記入欄６１と、加修費を記入する加修費記入欄６２と、前記仕入れ価格に加修費と補正価格を加味して展示価格を記入する展示価格記入欄６３等の価格記入欄が下から上へ順番に形成されている。
【００１１】
また、前記仕入れ価格記入欄６１の下には、自動車重量税等の未納金額あればそれを記入する欄が形成されている。
また、さらに下にはタイヤサイズ記入欄７１が形成され、査定シートＡの左下には、各種のチェック欄が形成されている。
【００１２】
上記各記入欄の内の、前記基本情報記入欄１と、履歴情報記入欄２と、図示記入欄４と、内装評価情報記入欄４１と、装着品情報記入欄５と、仕入れ価格記入欄６１と、加修費記入欄６２と、展示価格記入欄６３と、タイヤサイズ記入欄７１は、複写領域として設定されている。
そして、前記複写領域の裏面には、図４に示したように、感圧複写用の発色剤が入ったマイクロカプセル層Ｃが形成されている。
【００１３】
図３に示した評価シートＢには、前記査定シートＡと積層した状態で、査定シートＡの複写領域に対応する領域に、前記マイクロカプセル層Ｃの発色剤に対応した顕色剤層Ｄ（図４参照）が形成されるとともに、前記査定シートＡに記入された内容が感圧複写される複写欄が形成されている。
【００１４】
これらの複写欄には、図３に示したように、基本情報複写欄Ｂ１と、履歴情報複写欄Ｂ２と、図示複写欄Ｂ４と、内装評価情報複写欄Ｂ４１と、装着品情報複写欄Ｂ５と、仕入れ価格複写欄Ｂ６１と、加修費複写欄Ｂ６２と、展示価格複写欄Ｂ６３と、タイヤサイズ複写欄Ｂ７１とが形成されている。
そして、前記仕入れ価格複写欄Ｂ６１の下には、全長全幅全高等の寸法情報とエンジン仕様等を記入する副仕様記入欄Ｂ７が形成され、評価シートＢの左下には、新車参考価格を記入する新車価格記入欄Ｂ８が形成され、前記図示複写欄Ｂ４の下にはコメント記入欄が形成されている。また、前記基本情報複写欄Ｂ１の下には、内外装評価点と安心評価点を記入する評価点記入欄Ｂ３が形成されている。これらの評価点は、客に車の詳細を説明し、理解しやすく評価したものである。
内外装評価点とは車の外板についている疵や凹み、内装における破れや汚れを金額に換算し得る点数を元にして算出し、９９点満点の点数で評価したものである。（新車時の状態を１００点とする。新車と同様の状態であっても中古車となった場合には９９点が最高点とする。）
安心評価点とは、車以外の附帯サービスについての評価であり、例えば、保証書の有無や走行距離についてチェックをしているか否などの項目を設定し、それだけの項目を可能にできるかという点を評価するものである。
【００１５】
図４は、前記中古車査定・評価シートの一部の側面断面を示したものである。図４において、Ａは前記査定シート、Ｂは前記評価シートである。そして、Ｃは前述したマイクロカプセル層Ｃであり、押圧されることによってマイクロカプセルが破裂して内部の発色剤が、積層された評価シートＢの表面に付着するように構成されている。
Ｄは前述した顕色剤層であり、前記評価シートＢの複写領域の表面に形成されており、マイクロカプセルが破裂することによって付着した発色剤と反応して発色するように構成されている。
なお、画用紙程度の腰の強い台紙Ｅ上記シートを重ねておくとよい。
【００１６】
以上のように構成された中古車査定・評価シートを使用する場合には、まず、買い取り時に展示価格を決定し、査定シートＡの記入作成を行う。加修費を算出して記入し、年ものランク等の諸経費を差し引いて仕入れ価格である買い取り価格を決定する。
このような価格決定の経過は、評価シートＢに複写されるので、買う客にも情報開示されるのである。
また、販売店の利益も明確になるので、この車はいくらの利益で販売されているのかという情報も開示されることになり、客にとっては大変解りやすいものとなる。
【００１７】
以上のように構成された中古車査定・評価シートによれば、取引に重要な情報である基本情報、履歴情報、疵や修復跡等の位置、内装評価情報、装着品情報、仕入れ価格、加修費、展示価格、及びタイヤサイズ等を、査定時に記入する査定シートＡだけでなく、販売のために展示する評価シートＢにも複写するので、売る客は自分が販売した中古車が、どのような疵や修復歴が査定されて、加修費がどれだけ必要かを知り、展示価格がいくらに設定されているかを確認することができる。従って、車を売る客は納得して売ることができるのである。
なお、査定対象の中古車の査定シートに記入される重要な記入欄である基本情報記入欄、履歴情報記入欄、図示記入欄、装着品情報記入欄、仕入れ価格記入欄、加修費記入欄、及び展示価格記入欄の全てが複写されるように構成してもよいが、それらの欄の少なくとも何れかひとつのの欄の情報が、買い取り用の査定シートだけでなく、販売用の評価シートにも複写されるようにしてもよい。
また、中古車を購入する客にとっても、買い取り価格がいくらであって、どのような疵や修復歴が査定されて、加修費がどれだけかかり、展示価格が設定されたのかを知ることができるので、車を買う客は安心・納得して買うことができるのである。
【００１８】
なお、記入欄は図示したものに限定されるものではなく、種々の追加情報を記入するように構成することができる。また、その内の必要な情報は複写するように構成することができる。
【００１９】
【発明の効果】
以上のようにして、本発明の中古車査定・評価シートによれば、中古車を売る人も買う人も、価格が決定される経過を公正に知ることができるので、安心・納得して取引することができる。
従って、従来は中古車の取引を敬遠していた人も安心して中古車を売ったり買ったりするようになるので、中古車の取引が盛んになるという効果も得られる。
【図面の簡単な説明】
【図１】本発明にかかる中古車査定・評価シートの実施の形態の構成を示した構成図である。
【図２】査定シートの構成例を示した面である。
【図３】評価シートの構成例を示した面である。
【図４】前記中古車査定・評価シートの一部の断面を示した面である。
【図５】査定シートの各欄の具体的な表示例を示した図である。
【図６】評価シートの各欄の具体的な表示例を示した図である。
【図７】査定シートの各欄の記入例を示した図である。
【図８】評価シートの各欄の複写例を示した図である。
【符号の説明】
Ｓ　中古車査定・評価シート
Ａ　査定シート
Ｂ　評価シート
Ｃ　マイクロカプセル層
Ｄ　顕色剤層
１　基本情報記入欄
２　履歴情報記入欄
４　図示記入欄
４１　内装評価情報記入欄
５　　装着品情報記入欄
６１　仕入れ価格記入欄
６２　加修費記入欄
６３　展示価格記入欄
７１　タイヤサイズ記入欄
Ｂ１　基本情報複写欄
Ｂ２　履歴情報複写欄
Ｂ４　図示複写欄
Ｂ４１　内装評価情報複写欄
Ｂ５　　装着品情報複写欄
Ｂ６１　仕入れ価格複写欄
Ｂ６２　加修費複写欄
Ｂ６３　展示価格複写欄
Ｂ７１　タイヤサイズ複写欄
【図１】
2004066515.tif 000003
【図２】
2004066515.tif 000004
【図３】
2004066515.tif 000005
【図４】
2004066515.tif 000006
【図５】
2004066515.tif 000007
【図６】
2004066515.tif 000008
【図７】
2004066515.tif 000009
【図８】
2004066515.tif 000010